(57)【要約】【課題】  人手や電源を必要とせず、機械的機構のみで作動し、水田の何処にでも設置が可能で、かつ、コンパクトで、水田の畔から突出する高さが低い、水田の水位を一定範囲で調整可能な水位調整装置を提供する。【解決手段】  用水路側に連通してなる取水口と、水田側に連通してなる給水口を備えてなる筐体と、筐体の給水口側の内部に、略鉛直方向に移動可能なフロートと、四取水口を開閉する開閉蓋と、フロートと開閉蓋の筐体内側の面にそれぞれ設けられてなる回動軸を介して、フロートと開閉蓋を接続する棒状部材を有し、フロートの上下動により、開閉蓋が開閉動作する水調整装置において、開閉蓋の用水路側の面に、開閉蓋に平行な長穴を有する部材を接合し、給水口を構成する枠または、前記給水口に固定可能な枠の、用水路側に突出して設けた軸に、長穴に遊嵌した状態で接合した構成とする。【選択図】図１
2015039373.tif 000002
【特許請求の範囲】
【請求項１】
用水路側に連通してなる取水口と、遊水区域側に連通してなる給水口を備えてなる筐体と、前記筐体の給水口側の内部に、略鉛直方向に移動可能に設けられてなるフロートと、前記取水口を閉塞または開放するための開閉蓋と、前記フロートと前記開閉蓋の筐体内側の面にそれぞれ設けられてなる回動軸を介して、前記フロートと前記開閉蓋を接続する棒状部材を有し、前記フロートの上下動により、前記開閉蓋が開閉動作する水調整装置において、前記開閉蓋の前記用水路側の面には、前記開閉蓋に平行な長穴を有する部材が接合され、前記給水口を構成する枠または、前記給水口に固定可能な枠の、用水路側に突出して設けられてなる一対のブロック間に取り付けられた軸が、前記長穴に遊嵌した状態で接合されてなることを特徴とする水位調節装置。
【請求項２】
前記フロートの上部のほぼ中央に、ほぼ鉛直方向に延びるシャフトが取り付けられ、前記シャフトの上端近傍に設けられてなる回動軸と、前記開閉蓋に設けられてなる回動軸とが、前記棒状部材により接合されてなることを特徴とする、請求項１に記載の水位調節装置。
【請求項３】
前記フロートの上側の面に、前記フロートの上側の面の略平行な方向にスリットが設けられ、前記棒状部材の前記フロート側の端に前記スリットに嵌合するスライド部材が、前記スリットに沿って摺動可能な状態に設けられてなることを特徴とする、請求項１に記載の水位調整装置。
【発明の詳細な説明】
【技術分野】
【０００１】  本発明は、用水路と遊水区域の間に設置される、電力などが不要な水位調整装置、特に用水路と水田の間に設置することにより、水田の水位を調整するのに適した水位調整装置に関するものである。
【背景技術】
【０００２】  現在の稲作農業は、従事人口の減少及び高齢化、米の消費量減少などによる価格下落、美味しい米へのニーズなど、多くの問題を抱え、省力化及びコスト削減が求められている他、輸入自由化への圧力などから、さらなる競争力強化が必要で、抜本的な改革が急務である。【０００３】  水田は畔と称される盛土によって区切られ、区域毎に用水の水位の管理などがなされるのが一般的である。そして用水は、やはり畔で隔てられた用水路から導入されるが、水稲の生育期において生育状態に合わせた細やかな管理が必要で、特に水田の水位の調整による温度管理が収量に影響する。このため従来は、この水田水位管理を、水稲育成従事者が毎日、水田を点検しながら行っていた。【０００４】  しかし、前記の稲作経営の実態により、省力化、コスト削減が求められ、人手に頼らない自動装置による水田水位の調整が必要となっていて、これに対応した装置が望まれている。【０００５】  このような要望に対処する技術として、例えば特許文献１には、電磁弁の動作により、水田などの潅漑用水を自動的に供給する装置が開示されている。しかしながら、ここに開示されている装置は構造が複雑で製造コスト低減が困難な他、多くの場合、広い圃場では電源の確保が困難である。【０００６】  また、特許文献２にはフロートと一体化された弁を用いることにより、水田水位により給水管の開口面積を変化させることで、電力を用いることなく自動的に水田に用水を導入する機構が開示されている。【０００７】  更に本発明者は、フロートの浮力を利用して水田の水位を一定に保持する装置を、特許文献３や特許文献４として提案している。これらの技術によれば、水田の水位を一定に保持すること可能となる。しかし、実際にこの水位調整装置を水田に設置すると、大きさ、特に高さや構造の複雑さが問題となり、農作業の妨げとなる場合があることが明らかになってきた。
【先行技術文献】
【特許文献】
【０００８】
【特許文献１】  特開２００５−３４８６９５号公報
【特許文献２】  特開２００９−１１２２９６号公報
【特許文献３】  特開２０１１−１６７１７３号公報
【特許文献４】  特開２０１３−１２３４３４号公報
【発明の開示】
【発明が解決しようとする課題】
【０００９】  従って、本発明の課題は、人手や電源を必要とせず、機械的機構のみで作動し、水田の何処にでも設置が可能で、かつ、コンパクトで、水田の畔から突出する高さが低い、水田の水位を一定範囲で調整可能な水位調整装置を提供することにある。
【課題を解決するための手段】
【００１０】  本発明は。前記の課題に鑑み、前記のフロートを利用した水位調整装置において、高さを減少し得る構造、特に用水路側に開閉蓋を設け、当該開閉蓋とフロートとの接合構造を、再検討した結果、なされたものである。【００１１】  即ち、本発明は、用水路側に連通してなる取水口と、遊水区域側に連通してなる給水口を備えてなる筐体と、前記筐体の給水口側の内部に、略鉛直方向に移動可能に設けられてなるフロートと、前記取水口を閉塞または開放するための開閉蓋と、前記フロートと前記開閉蓋の筐体内側の面にそれぞれ設けられてなる回動軸を介して、前記フロートと前記開閉蓋を接続する棒状部材を有し、前記フロートの上下動により、前記開閉蓋が開閉動作する水調整装置において、前記開閉蓋の前記用水路側の面には、前記開閉蓋に平行な長穴を有する部材が接合され、前記給水口を構成する枠または、前記給水口に固定可能な枠の、用水路側に突出して設けられてなる一対のブロック間に取り付けられた軸が、前記長穴に遊嵌した状態で接合されてなることを特徴とする水位調節装置である。【００１２】  また、本発明は、前記フロートの上部のほぼ中央に、ほぼ鉛直方向に延びるシャフトが取り付けられ、前記シャフトの上端近傍に設けられてなる回動軸と、前記開閉蓋に設けられてなる回動軸とが、前記棒状部材により接合されてなることを特徴とする、前記の水位調節装置である。【００１３】  また、本発明は、前記フロートの上側の面に、前記フロートの上側の面の略平行な方向にスリットが設けられ、前記棒状部材の前記フロート側の端に前記スリットに嵌合するスライド部材が、前記スリットに沿って摺動可能な状態に設けられてなることを特徴とする、前記の水位調整装置である。
【発明の効果】
【００１４】  本発明者は、先に特許出願した水位調整装置のコンパクト化を検討する上で、可能な限り部品点数を削減するために、用水路側に設けた開閉蓋の作動により、必要に応じて遊水区域、より具体的には水田に給水することと、水位調整に用いるフロートと当該開閉蓋を接合する部材の減少を検討した。【００１５】  このような目的を達成するための一つの方法として、本発明者は、取水口を構成する枠に、回動軸を介して開閉蓋を回動可能な状態で取り付け、当該開閉口の回動軸から偏倚した位置に、フロートの上下動により動作する部材を接合して、開閉蓋を回動させる構造を検討した。しかし、結果的に、このような構成では、開閉蓋の回動を円滑に行うのが困難で、しかも開閉蓋の回動角度が小さく、取水口の開口面積が制限されることが判明した。【００１６】  このような課題を解決するために、鋭意検討した結果、取水口の枠または、取水口に固定可能な枠の用水路側に、突出して設けた一対のブロック間に開閉蓋の軸を取り付け、当該軸が、開閉蓋の用水路側の面に一体に接合された部材に開閉蓋に平行に設けられた、長穴に遊嵌した構造とすることにより、取水口の開口面積が十分で、かつ円滑に動作する開閉蓋を得ることができた。これによって、本発明に係る水位調整装置は、水田の畔に設置しても、農作業の障害にならない程度にコンパクトになる。
【図面の簡単な説明】
【００１７】
【図１】  本発明の水位調整装置に係る開閉蓋を取水口の枠に取り付けた状態の一例を示す図、図１（ａ）は側面図、図１（ｂ）は正面図、図１（ｃ）はＡＡ断面図。
【図２】  本発明に係る水位調整装置の一例において開閉蓋が取水口を閉塞した状態を示す図。
【図３】  本発明に係る水位調整装置の一例において開閉蓋の動作により取水口が開放された状態を示す図。
【図４】  フロートの上にフロートに上面と平行に設けたスリットに棒状部材の端部をスライド可能に取り付けた状態を示す図。
【発明を実施するための形態】
【００１８】  次に本発明の実施の形態について、具体的な図を参照しながら説明する。
【００１９】  図１は、本発明の水位調整装置に係る開閉蓋を、取水口の枠に取り付けた状態の一例を示す図で、図１（ａ）は側面図、図１（ｂ）は正面図、図１（ｃ）はＡＡ断面図である。図１において、１は開閉蓋、２は取水口への取付枠、３ａは回動軸への取付部材、３ｂは長穴、４は支持部材、５は回動軸、６は回動軸取付ブロック、７はＯリング、８は棒状部材の取付部である。
【００２０】  ここに示した開閉蓋１の作動状態については、図２以降で説明するが、取付枠２を、水位調整装置の筐体の取水口に取り付ける。Ｏリング７は、開閉蓋１の外周縁と取付枠２の内周縁との間の空隙を、閉塞するために取り付ける。
【００２１】  図２は、本発明に係る水位調整装置の一例において、開閉蓋が取水口を閉塞した状態を示す図である。図において、１ａは開閉蓋、３ｃは回動軸への取付部材、５ａは回動軸、８ａは棒状部材の取付部、９ａはフロートの上下動により開閉蓋を作動させるための棒状部材、１０ａは棒状部材のフロートへの取付部材、１１ａはシャフト、１２は水位調整装置の筐体、１３は取水口、１４ａはフロートである。
【００２２】  図２において、二点鎖線で示したのは、フロート１４ａの降下に従って、開閉蓋１ａが開放された状態の各部材の位置を示す。図２に示したように、棒状部材の取付部８ａは、回動軸５ａよりも、図における上の方に配置されているため、フロート１４ａの下降に伴い、棒状部材９ａに引かれ、開閉蓋１ａは、図における時計回りの方向に回動する。この際、３ｃは回動軸への取付部材には長穴が設けられているため、開閉蓋１ａは、図における右上の方向に移動するので、取水口１３の開口面積を拡大することができる。
【００２３】  フロート４ａは、浮力を確保するために、塩化ビニルなどの比較的軽量の材料で構成される。また、筐体１２も、塩化ビニルのような材料で構成することができる。それ以外の部材は、ある程度の機械的な強度を要するので、金属材料で構成するが、絶えず水と接触した状態で運用されるので、▲錆▼が生じ難いステンレスのような材料で構成することが望ましい。このような構成とすることで、水田の水位が低下すると、取水口が開放状態となり、用水路から水田に水が導入される。また、ここでは具体的な例を示さないが、フロートのシャフトへの取付位置の調整により、水田の水位の調整が一定範囲内で可能である。
【００２４】  図３は、本発明に係る水位調整装置の一例において、開閉蓋の動作により、取水口が開放された状態を示す図である。図において、１ｂは開閉蓋、３ｄは回動軸への取付部材、５ｂは回動軸、８ｂは棒状部材の取付部、９ｂはフロートの上下動により開閉蓋を作動させるための棒状部材、１０ｂは棒状部材のフロートへの取付部材、１１ｂはシャフトである。また、二点鎖線で示したのは、開閉蓋１ｂにより取水口１３が閉塞された状態における各部材の位置である。フロート上下動に伴う各部材に動作は前記の通りである。
【００２５】  フロートの上下動により開閉蓋を作動させるための棒状部材は、前記のように、シャフトを介してフロートに接合することも可能であるが、フロートの上部の直接取り付けることも可能である。図４はそのような例を示す図で、フロートの上にフロートに上面と平行に設けたスリットに、棒状部材の端部をスライド可能に取り付けた状態を示す図である。図において、１ｃは開閉蓋、３ｅは回動軸への取付部材、５ｃは回動軸、８ｃは棒状部材の取付部、９ｃはフロートの上下動により開閉蓋を作動させるための棒状部材、１０ｃは棒状部材のフロートへの取付部材、１５はスリットである。
【００２６】  ここでは、棒状部材の取付部８ｃを、スリット１５に嵌合させるが、スリットを単なる貫通孔で代替することも可能である。ただし、その際は、開閉蓋１ｃなどの作動範囲が限定されることになる。なお、二点鎖線で示したのは、フロート１４ｂが下降して、取水口１３が開放された状態における、各部材の位置を示す。
【００２７】  以上に説明したように、本発明によれば、水田の水位を任意のレベルで、自動的に保持することが可能となり、稲作の合理化に寄与するところは大きいと言える。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２８】１，１ａ，１ｂ，１・・・開閉蓋  ２・・・取付枠
３ａ，３ｃ，３ｄ，３ｅ・・・回動軸への取付部材  ３ｂ・・・長穴
４・・・支持部材  ５，５ａ，５ｂ，５ｃ・・・回動軸  ６・・・回動軸取付ブロック
７・・・Ｏリング  ８，８ａ，８ｂ，８ｃ・・・棒状部材の取付部
９ａ，９ｂ，９ｃ・・・棒状部材
１０ａ，１０ｂ，１０ｃ・・・棒状部材のフロートへの取付部材
１１ａ，１１ｂ・・・シャフト  １２・・・筐体  １３・・・取水口
１４ａ，１４ｂ・・・フロート  １５・・・スリット
【図１】
2015039373.tif 000003
【図２】
2015039373.tif 000004
【図３】
2015039373.tif 000005
【図４】
2015039373.tif 000006